(57)【要約】  データ信号線駆動回路がＣＯＧ方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、共通電極（ＣＯＭ）の電圧が変化するように駆動され、上記アナログ−デジタル変換回路は、上記光センサの出力のアナログ−デジタル変換を、走査信号線の選択開始タイミングと、データ信号線にデータ信号が出力される期間と、上記共通電極の駆動による電圧変化タイミングとを避けた第１の期間に行う。これにより、光センサ出力のアナログ−デジタル変換機能を備えたＣＯＧ技術を提供することのできる表示装置を実現する。
2009125614.tif 000002
【特許請求の範囲】
【請求項１】
データ信号線駆動回路がＣＯＧ(Chip On Glass)方式により備えられ、表示領域に検出した光強度に応じた信号を出力する光センサが備えられた、アクティブマトリクス型の表示装置であって、
上記データ信号線駆動回路は、上記光センサの出力をアナログ−デジタル変換するアナログ−デジタル変換回路を備えており、
共通電極の電圧が変化するように駆動され、
上記アナログ−デジタル変換回路は、上記光センサの出力のアナログ−デジタル変換を、各データ信号線にデータ信号が出力される期間と、上記共通電極の駆動による電圧変化タイミングとを避けた第１の期間に行うことを特徴とする表示装置。
【請求項２】
上記第１の期間は、走査信号線の一選択期間に対応する各データ信号線へのデータ信号の出力が全て終了した時点から、直後の共通電極ＣＯＭの電圧変化タイミングまでの期間内にあることを特徴とする請求項１に記載の表示装置。
【請求項３】
データ信号線駆動回路がＣＯＧ(Chip On Glass)方式により備えられ、表示領域に検出した光強度に応じた信号を出力する光センサが備えられた、アクティブマトリクス型の表示装置であって、
上記データ信号線駆動回路は、上記光センサの出力をアナログ−デジタル変換するアナログ−デジタル変換回路を備えており、
共通電極の電圧は変化するように駆動されず、
上記アナログ−デジタル変換回路は、上記光センサの出力のアナログ−デジタル変換を、データ信号線にデータ信号が出力される期間を避けた第１の期間に行うことを特徴とする表示装置。
【請求項４】
上記第１の期間は、走査信号線の一選択期間に対応する各データ信号線へのデータ信号の出力が全て終了した時点から、直後の、走査信号線の一選択期間に対応する各データ信号線へのデータ信号の出力を最初に開始する時点までの期間内にあることを特徴とする請求項３に記載の表示装置。
【請求項５】
データ信号線駆動回路がＣＯＧ(Chip On Glass)方式により備えられ、表示領域に検出した光強度に応じた信号を出力する光センサが備えられた、アクティブマトリクス型の表示装置であって、
上記データ信号線駆動回路は、上記光センサの出力をアナログ−デジタル変換するアナログ−デジタル変換回路を備えており、
共通電極の電圧が変化するように駆動され、
走査信号線の一選択期間に対応する各データ信号線へのデータ信号の出力が、データ信号線の所定本数ごとに点順次で行われ、
上記アナログ−デジタル変換回路は、上記光センサの出力のアナログ−デジタル変換を、走査信号線の一選択期間に対応する各データ信号線へのデータ信号の最後の出力の途中から、直後の共通電極の電圧変化タイミングまでの期間内にある第１の期間に行うことを特徴とする表示装置。
【請求項６】
データ信号線駆動回路がＣＯＧ(Chip On Glass)方式により備えられ、表示領域に検出した光強度に応じた信号を出力する光センサが備えられた、アクティブマトリクス型の表示装置であって、
上記データ信号線駆動回路は、上記光センサの出力をアナログ−デジタル変換するアナログ−デジタル変換回路を備えており、
共通電極の電圧は変化するように駆動されず、
走査信号線の一選択期間に対応する各データ信号線へのデータ信号の出力が、データ信号線の所定本数ごとに点順次で行われ、
上記アナログ−デジタル変換回路は、上記光センサの出力のアナログ−デジタル変換を、走査信号線の一選択期間に対応する各データ信号線へのデータ信号の最後の出力の途中から、直後の、走査信号線の一選択期間に対応する各データ信号線へのデータ信号の出力を最初に開始する時点までの期間内にある第１の期間に行うことを特徴とする表示装置。
【請求項７】
データ信号線駆動回路がＣＯＧ(Chip On Glass)方式により備えられ、表示領域に検出した光強度に応じた信号を出力する光センサが備えられた、アクティブマトリクス型の表示装置であって、
上記データ信号線駆動回路は、上記光センサの出力をアナログ−デジタル変換するアナログ−デジタル変換回路を備えており、
走査信号線の一選択期間に対応する各データ信号線へのデータ信号の出力が、データ信号線の所定本数ごとに点順次で行われ、
上記アナログ−デジタル変換回路は、上記光センサの出力のアナログ−デジタル変換を、各データ信号線へのデータ信号の１つの出力の途中から終了時点までの期間内にある第１の期間に行うことを特徴とする表示装置。
【請求項８】
データ信号線駆動回路がＣＯＧ(Chip On Glass)方式により備えられ、表示領域に検出した光強度に応じた信号を出力する光センサが備えられた、アクティブマトリクス型の表示装置であって、
上記データ信号線駆動回路は、上記光センサの出力をアナログ−デジタル変換するアナログ−デジタル変換回路を備えており、
走査信号線の一選択期間に対応する各データ信号線へのデータ信号の出力が、データ信号線の所定本数ごとに点順次で行われ、
上記アナログ−デジタル変換回路は、上記光センサの出力のアナログ−デジタル変換を、走査信号線の一選択期間に対応する各データ信号線へのデータ信号の最後以外の１つの出力の途中から、各データ信号線へのデータ信号の直後の出力が開始される時点までの期間内にある第１の期間に行うことを特徴とする表示装置。
【請求項９】
データ信号線駆動回路がＣＯＧ(Chip On Glass)方式により備えられ、表示領域に検出した光強度に応じた信号を出力する光センサが備えられた、アクティブマトリクス型の表示装置であって、
上記データ信号線駆動回路は、上記光センサの出力をアナログ−デジタル変換するアナログ−デジタル変換回路を備えており、
共通電極の電圧が変化するように駆動され、
走査信号線の一選択期間に対応する各データ信号線へのデータ信号の出力が線順次で行われ、
上記アナログ−デジタル変換回路は、上記光センサの出力のアナログ−デジタル変換を、走査信号線の一選択期間に対応する各データ信号線へのデータ信号の出力の途中から、直後の共通電極の電圧変化タイミングまでの期間内にある第１の期間に行うことを特徴とする表示装置。
【請求項１０】
データ信号線駆動回路がＣＯＧ(Chip On Glass)方式により備えられ、表示領域に検出した光強度に応じた信号を出力する光センサが備えられた、アクティブマトリクス型の表示装置であって、
上記データ信号線駆動回路は、上記光センサの出力をアナログ−デジタル変換するアナログ−デジタル変換回路を備えており、
走査信号線の一選択期間に対応する各データ信号線へのデータ信号の出力が線順次で行われ、
上記アナログ−デジタル変換回路は、上記光センサの出力のアナログ−デジタル変換を、各データ信号線へのデータ信号の出力の途中から終了時点までの期間内にある第１の期間に行うことを特徴とする表示装置。
【請求項１１】
データ信号線駆動回路がＣＯＧ(Chip On Glass)方式により備えられ、表示領域に検出した光強度に応じた信号を出力する光センサが備えられた、アクティブマトリクス型の表示装置であって、
上記データ信号線駆動回路は、上記光センサの出力をアナログ−デジタル変換するアナログ−デジタル変換回路を備えており、
共通電極の電圧は変化するように駆動されず、
走査信号線の一選択期間に対応する各データ信号線へのデータ信号の出力が線順次で行われ、
上記アナログ−デジタル変換回路は、上記光センサの出力のアナログ−デジタル変換を、各データ信号線へのデータ信号の出力の途中から、直後の、走査信号線の一選択期間に対応する各データ信号線へのデータ信号の出力を開始する時点までの期間内にある第１の期間に行うことを特徴とする表示装置。
【請求項１２】
データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、
共通電極の電圧を、変化するように駆動し、
データ信号線にデータ信号が出力される期間と、上記共通電極の駆動による電圧変化タイミングとを避けた第１の期間に、上記データ信号線駆動回路に上記光センサの出力のアナログ−デジタル変換を行わせることを特徴とする表示装置の駆動方法。
【請求項１３】
上記第１の期間は、走査信号線の一選択期間に対応する各データ信号線へのデータ信号の出力が全て終了した時点から、直後の共通電極ＣＯＭの電圧変化タイミングまでの期間内にあることを特徴とする請求項１２に記載の表示装置の駆動方法。
【請求項１４】
データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、
共通電極の電圧を、変化するように駆動せず、
データ信号線にデータ信号が出力される期間を避けた第１の期間に、上記データ信号線駆動回路に上記光センサの出力のアナログ−デジタル変換を行わせることを特徴とする表示装置の駆動方法。
【請求項１５】
上記第１の期間は、走査信号線の一選択期間に対応する各データ信号線へのデータ信号の出力が全て終了した時点から、直後の、走査信号線の一選択期間に対応する各データ信号線へのデータ信号の出力を最初に開始する時点までの期間内にあることを特徴とする請求項１４に記載の表示装置の駆動方法。
【請求項１６】
データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、
共通電極の電圧を、変化するように駆動し、
走査信号線の一選択期間に対応する各データ信号線へのデータ信号の出力を、データ信号線の所定本数ごとに点順次で行わせ、
走査信号線の一選択期間に対応する各データ信号線へのデータ信号の最後の出力の途中から、直後の共通電極の電圧変化タイミングまでの期間内にある第１の期間に、上記データ信号線駆動回路に上記光センサの出力のアナログ−デジタル変換を行わせることを特徴とする表示装置の駆動方法。
【請求項１７】
データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、
共通電極の電圧を、変化するように駆動せず、
走査信号線の一選択期間に対応する各データ信号線へのデータ信号の出力を、データ信号線の所定本数ごとに点順次で行わせ、
走査信号線の一選択期間に対応する各データ信号線へのデータ信号の最後の出力の途中から、直後の、走査信号線の一選択期間に対応する各データ信号線へのデータ信号の出力を最初に開始する時点までの期間内にある第１の期間に、上記データ信号線駆動回路に上記光センサの出力のアナログ−デジタル変換を行わせることを特徴とする表示装置の駆動方法。
【請求項１８】
データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、
走査信号線の一選択期間に対応する各データ信号線へのデータ信号の出力を、データ信号線の所定本数ごとに点順次で行わせ、
各データ信号線へのデータ信号の１つの出力の途中から終了時点までの期間内にある第１の期間に、上記データ信号線駆動回路に上記光センサの出力のアナログ−デジタル変換を行わせることを特徴とする表示装置の駆動方法。
【請求項１９】
データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、
走査信号線の一選択期間に対応する各データ信号線へのデータ信号の出力を、データ信号線の所定本数ごとに点順次で行わせ、
走査信号線の一選択期間に対応する各データ信号線へのデータ信号の最後以外の１つの出力の途中から、各データ信号線へのデータ信号の直後の出力が開始される時点までの期間内にある第１の期間に、上記データ信号線駆動回路に上記光センサの出力のアナログ−デジタル変換を行わせることを特徴とする表示装置の駆動方法。
【請求項２０】
データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、
共通電極の電圧を、変化するように駆動し、
走査信号線の一選択期間に対応する各データ信号線へのデータ信号の出力を線順次で行わせ、
走査信号線の一選択期間に対応する各データ信号線へのデータ信号の出力の途中から、直後の共通電極の電圧変化タイミングまでの期間内にある第１の期間に、上記データ信号線駆動回路に上記光センサの出力のアナログ−デジタル変換を行わせることを特徴とする表示装置の駆動方法。
【請求項２１】
データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、
走査信号線の一選択期間に対応する各データ信号線へのデータ信号の出力を線順次で行わせ、
各データ信号線へのデータ信号の出力の途中から終了時点までの期間内にある第１の期間に、上記データ信号線駆動回路に上記光センサの出力のアナログ−デジタル変換を行わせることを特徴とする表示装置の駆動方法。
【請求項２２】
データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、
共通電極の電圧を、変化するように駆動せず、
走査信号線の一選択期間に対応する各データ信号線へのデータ信号の出力を線順次で行わせ、
各データ信号線へのデータ信号の出力の途中から、直後の、走査信号線の一選択期間に対応する各データ信号線へのデータ信号の出力を開始する時点までの期間内にある第１の期間に、上記データ信号線駆動回路に上記光センサの出力のアナログ−デジタル変換を行わせることを特徴とする表示装置の駆動方法。
【発明の詳細な説明】
【技術分野】
【０００１】
本発明は、表示パネル上に光センサを備えた表示装置に関する。
【背景技術】
【０００２】
液晶表示装置の画素回路に光センサを備えた構成のものがある。【０００３】
図１６は、特許文献１に記載されたこのような表示装置が備える表示領域の構成と、当該表示領域を駆動する回路ブロックとを示す。【０００４】
表示領域１０において、画素は表示画素２６とホトセンサ画素２７とを備えている。【０００５】
表示画素２６は、縦横に列設されるソース信号線２３およびゲート信号線２２ａの各交点もしくは近傍に形成される。表示画素２６は、ＴＦＴ３２と、ＴＦＴ３２の一端に形成された画素電極６１と共通電極との間に構成される液晶容量と、共通信号線３１との間に接続される補助容量３５とから構成される。【０００６】
ホトセンサ画素２７は、ホトダイオードとして動作するＴＦＴ６４と、プリチャージ電圧を保持する補助容量６３と、ソースフォロワとして動作するＴＦＴ６２ｂと、プリチャージ電圧を補助容量６３に印加するスイッチング素子として動作するＴＦＴ６２ａと、ＴＦＴ６２ｂのソースフォロワ出力をホトセンサ出力信号線２５に選択して出力するＴＦＴ６２ｃとから構成される。ＴＦＴ６２ａの一端子はプリチャージ電圧信号線２４に接続されている。ＴＦＴ６２ａのゲートはゲート信号線２２ｃに接続されている。ホトセンサ素子であるＴＦＴ６４、ＴＦＴ６２ｂ、および、補助容量６３の一端子は、共通信号線３１に接続されている。ＴＦＴ６４および補助容量６３の他端はＴＦＴ６２ｂのゲートに接続されている。ＴＦＴ６２ｃのゲートはゲート信号線２２ｂに接続されている。【０００７】
また、ゲート信号線２２ａはゲートドライバ回路１２ａによって、ゲート信号線２２ｂ・２２ｃはゲートドライバ回路１２ｂによって、プリチャージ電圧信号線２４およびホトセンサ出力信号線２５はホトセンサ処理回路１８によって、ソース信号線２３はソースドライバ１４によって、それぞれ駆動される。【０００８】
ＴＦＴ６２ａはホトセンサ処理回路１８からプリチャージ電圧信号線２４に印加されたプリチャージ電圧をＴＦＴ６４の一端子に印加する。ゲート信号線２２ｃにオン電圧が印加されると、ＴＦＴ６２ａがオンする。プリチャージ電圧は、ＴＦＴ６２ｂがオンする電圧（閾値電圧Ｖｔｈ以上）である。ＴＦＴ６４は光が照射されると光の強度に応じてリークするので、補助容量６３に保持された電荷がＴＦＴ６４のチャンネル間を通じて放電される。【０００９】
ホトセンサ画素２７では、ＴＦＴ６２ａにより、初期にはプリチャージ電圧がＴＦＴ６２ｂのゲートに印加されているが、ＴＦＴ６４に光が照射されて補助容量６３の両端の電圧が変化することによって、ＴＦＴ６２ｂのゲート電圧が変化する。ＴＦＴ６２ｂはソースフォロワ回路として動作する。ゲートドライバ回路１２ｂからゲート信号線２２ｂにオン電圧が印加されると、ＴＦＴ６２ｃがオンする。ＴＦＴ６２ｂがオン状態であれば、ホトセンサ出力信号線２５の電荷は、ＴＦＴ６２ｃ・６２ｂを介して、共通信号線３１に放電される（共通信号線３１の電位によっては充電される場合もある）。ＴＦＴ６２ｂの出力電圧が変化して、ホトセンサ出力信号線２５の電荷の変化することにより、ホトセンサ出力信号線２５の電位が変化する。ＴＦＴ６２ｃがオンしても、ＴＦＴ６２ｂがオフ状態であれば、ホトセンサ出力信号線２５の電荷は変化しない。【００１０】
ホトセンサ画素２７からの出力電圧は、ホトセンサ出力信号線２５に出力されホトセンサ処理回路１８に取り込まれる。ホトセンサ処理回路１８は、アレイ基板に直接形成されている。
【先行技術文献】
【００１１】
【特許文献１】日本国公開特許公報「特開２００６−２６７９６７号公報（公開日：２００６年１０月５日）」
【特許文献２】日本国公開特許公報「特開２００５−３２７１０６号公報（公開日：２００５年１１月２４日）」
【特許文献３】日本国公開特許公報「特開２００２−６２８５６号公報（公開日：２００２年２月２８日）」
【特許文献４】日本国公開特許公報「特開平１０−９１３４３号公報（公開日：１９９８年４月１０日）」
【特許文献５】日本国公開特許公報「特開２０００−８９９１２号公報（公開日：２０００年３月３１日）」
【特許文献６】日本国公開特許公報「特開２００５−１４８２８５号公報（公開日：２００５年６月９日）」
【特許文献７】日本国公開特許公報「特開２００６−１３３７８６号公報（公開日：２００６年５月２５日）」
【発明の概要】
【００１２】
従来の光センサを備えた液晶表示装置では、光センサの出力を外部にデジタルデータとして取り出そうとする場合に、ＡＤ変換器が備えられる。この場合に、液晶表示装置の構成としては、例えば図１７のように、表示パネル１０１の外部にホストコントローラ１０２およびドライバＬＳＩ１０３が設けられているとして、表示パネル１０１の外部に別途設けられたＩＣからなるＡＤ変換器１０４に光センサ出力が送られ、当該ＡＤ変換器１０４がＡＤ変換結果をホストコントローラ１０２に返す構成となる。当該例の表示パネル１０１はアナログドライバによって駆動されるパネルである。
【００１３】
このときのＡＤ変換器１０４を介した信号の流れを、図１８に示す。
【００１４】
表示パネル１０１内では、スキャン回路１１１によって駆動される光センサ回路１１２の光センサ出力は、点Ａから経路Ｂを介して、表示パネル１０１の外部に設けられたＡＤ変換器１０４へと送られる。経路Ｂは各光センサ回路１１２について形成されたものが合流してＡＤ変換器１０４に接続されており、各光センサ回路１１２の光センサ出力がデータ１、データ２、データ３、データ４、データ５、データ６、…と順次切り替わってＡＤ変換器１０４に入力される。ドライバＬＳＩ１０３は画素に表示データを供給する。
【００１５】
光センサ回路１１２の光センサ出力点Ａは画素にも接続されており、当該画素の構成例を図１９に示す。
【００１６】
図１９の画素構成では、ＲＧＢが１組になって１水平期間に時分割に駆動されるものである。表示期間にはＳＷ１０１がＲＧＢ間で順次切り替わるようにＯＮ状態とする。光センサ回路１１２を動作させるときにはスイッチＳＷ１０１をＯＦＦ状態として、スキャン回路１１１から電圧配線ＲＳＴ・ＲＷに所定の電圧を印加し、点ＡからＡＤ変換器１０４のほうへ回路を接続する。
【００１７】
しかしながら、液晶表示装置には、ドライバＬＳＩを表示パネル上にチップの状態で実装するＣＯＧ(Chip On Glass)技術が盛んに利用されているが、光センサを備えた表示パネルに対して、光センサ出力のＡＤ変換機能をも包括するＣＯＧ技術はまだ提供されていない。
【００１８】
本発明は、上記従来の問題点に鑑みなされたものであり、その目的は、光センサを備えた表示パネルに対して、光センサ出力のアナログ−デジタル変換機能を備えたＣＯＧ技術を提供することのできる表示装置、および、表示装置の駆動方法を実現することにある。
【００１９】
本発明の表示装置は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、共通電極の電圧が変化するように駆動され、上記アナログ−デジタル変換回路は、上記光センサの出力のアナログ−デジタル変換を、各データ信号線にデータ信号が出力される期間と、上記共通電極の駆動による電圧変化タイミングとを避けた第１の期間に行うことを特徴としている。
【００２０】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００２１】
以上により、光センサを備えた表示パネルに対して、光センサ出力のアナログ−デジタル変換機能を備えたＣＯＧ技術を提供することのできる表示装置を実現することができるという効果を奏する。
【００２２】
本発明の表示装置は、上記課題を解決するために、上記第１の期間は、走査信号線の一選択期間に対応する各データ信号線へのデータ信号の出力が全て終了した時点から、直後の共通電極ＣＯＭの電圧変化タイミングまでの期間内にあることを特徴としている。
【００２３】
上記の発明によれば、アクティブマトリクス型の表示装置において、正しいアナログ−デジタル変換を行う期間を容易に設定することができるという効果を奏する。
【００２４】
本発明の表示装置は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、共通電極の電圧は変化するように駆動されず、上記アナログ−デジタル変換回路は、上記光センサの出力のアナログ−デジタル変換を、データ信号線にデータ信号が出力される期間を避けた第１の期間に行うことを特徴としている。
【００２５】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００２６】
以上により、光センサを備えた表示パネルに対して、光センサ出力のアナログ−デジタル変換機能を備えたＣＯＧ技術を提供することのできる表示装置を実現することができるという効果を奏する。
【００２７】
本発明の表示装置は、上記課題を解決するために、上記第１の期間は、走査信号線の一選択期間に対応する各データ信号線へのデータ信号の出力が全て終了した時点から、直後の、走査信号線の一選択期間に対応する各データ信号線へのデータ信号の出力を最初に開始する時点までの期間内にあることを特徴としている。
【００２８】
上記の発明によれば、アクティブマトリクス型の表示装置において、正しいアナログ−デジタル変換を行う期間を容易に設定することができるという効果を奏する。
【００２９】
本発明の表示装置は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、共通電極の電圧が変化するように駆動され、走査信号線の一選択期間に対応する各データ信号線へのデータ信号の出力が、データ信号線の所定本数ごとに点順次で行われ、上記アナログ−デジタル変換回路は、上記光センサの出力のアナログ−デジタル変換を、走査信号線の一選択期間に対応する各データ信号線へのデータ信号の最後の出力の途中から、直後の共通電極の電圧変化タイミングまでの期間内にある第１の期間に行うことを特徴としている。
【００３０】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００３１】
以上により、光センサを備えた表示パネルに対して、光センサ出力のアナログ−デジタル変換機能を備えたＣＯＧ技術を提供することのできる表示装置を実現することができるという効果を奏する。
【００３２】
本発明の表示装置は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、共通電極の電圧は変化するように駆動されず、走査信号線の一選択期間に対応する各データ信号線へのデータ信号の出力が、データ信号線の所定本数ごとに点順次で行われ、上記アナログ−デジタル変換回路は、上記光センサの出力のアナログ−デジタル変換を、走査信号線の一選択期間に対応する各データ信号線へのデータ信号の最後の出力の途中から、直後の、走査信号線の一選択期間に対応する各データ信号線へのデータ信号の出力を最初に開始する時点までの期間内にある第１の期間に行うことを特徴としている。
【００３３】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００３４】
以上により、光センサを備えた表示パネルに対して、光センサ出力のアナログ−デジタル変換機能を備えたＣＯＧ技術を提供することのできる表示装置を実現することができるという効果を奏する。
【００３５】
本発明の表示装置は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、走査信号線の一選択期間に対応する各データ信号線へのデータ信号の出力が、データ信号線の所定本数ごとに点順次で行われ、上記アナログ−デジタル変換回路は、上記光センサの出力のアナログ−デジタル変換を、各データ信号線へのデータ信号の１つの出力の途中から終了時点までの期間内にある第１の期間に行うことを特徴としている。
【００３６】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００３７】
以上により、光センサを備えた表示パネルに対して、光センサ出力のアナログ−デジタル変換機能を備えたＣＯＧ技術を提供することのできる表示装置を実現することができるという効果を奏する。
【００３８】
本発明の表示装置は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、走査信号線の一選択期間に対応する各データ信号線へのデータ信号の出力が、データ信号線の所定本数ごとに点順次で行われ、上記アナログ−デジタル変換回路は、上記光センサの出力のアナログ−デジタル変換を、走査信号線の一選択期間に対応する各データ信号線へのデータ信号の最後以外の１つの出力の途中から、各データ信号線へのデータ信号の直後の出力が開始される時点までの期間内にある第１の期間に行うことを特徴としている。
【００３９】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００４０】
以上により、光センサを備えた表示パネルに対して、光センサ出力のアナログ−デジタル変換機能を備えたＣＯＧ技術を提供することのできる表示装置を実現することができるという効果を奏する。
【００４１】
本発明の表示装置は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、共通電極の電圧が変化するように駆動され、走査信号線の一選択期間に対応する各データ信号線へのデータ信号の出力が線順次で行われ、上記アナログ−デジタル変換回路は、上記光センサの出力のアナログ−デジタル変換を、走査信号線の一選択期間に対応する各データ信号線へのデータ信号の出力の途中から、直後の共通電極の電圧変化タイミングまでの期間内にある第１の期間に行うことを特徴としている。
【００４２】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００４３】
以上により、光センサを備えた表示パネルに対して、光センサ出力のアナログ−デジタル変換機能を備えたＣＯＧ技術を提供することのできる表示装置を実現することができるという効果を奏する。
【００４４】
本発明の表示装置は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、走査信号線の一選択期間に対応する各データ信号線へのデータ信号の出力が線順次で行われ、上記アナログ−デジタル変換回路は、上記光センサの出力のアナログ−デジタル変換を、各データ信号線へのデータ信号の出力の途中から終了時点までの期間内にある第１の期間に行うことを特徴としている。
【００４５】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００４６】
以上により、光センサを備えた表示パネルに対して、光センサ出力のアナログ−デジタル変換機能を備えたＣＯＧ技術を提供することのできる表示装置を実現することができるという効果を奏する。
【００４７】
本発明の表示装置は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、共通電極の電圧は変化するように駆動されず、走査信号線の一選択期間に対応する各データ信号線へのデータ信号の出力が線順次で行われ、上記アナログ−デジタル変換回路は、上記光センサの出力のアナログ−デジタル変換を、各データ信号線へのデータ信号の出力の途中から、直後の、走査信号線の一選択期間に対応する各データ信号線へのデータ信号の出力を開始する時点までの期間内にある第１の期間に行うことを特徴としている。
【００４８】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００４９】
以上により、光センサを備えた表示パネルに対して、光センサ出力のアナログ−デジタル変換機能を備えたＣＯＧ技術を提供することのできる表示装置を実現することができるという効果を奏する。
【００５０】
本発明の表示装置の駆動方法は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、共通電極の電圧を、変化するように駆動し、データ信号線にデータ信号が出力される期間と、上記共通電極の駆動による電圧変化タイミングとを避けた第１の期間に、上記データ信号線駆動回路に上記光センサの出力のアナログ−デジタル変換を行わせることを特徴としている。
【００５１】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００５２】
以上により、光センサを備えた表示パネルに対して、光センサ出力のアナログ−デジタル変換機能を備えたＣＯＧ技術を提供することのできる表示装置の駆動方法を実現することができるという効果を奏する。
【００５３】
本発明の表示装置の駆動方法は、上記課題を解決するために、上記第１の期間は、走査信号線の一選択期間に対応する各データ信号線へのデータ信号の出力が全て終了した時点から、直後の共通電極ＣＯＭの電圧変化タイミングまでの期間内にあることを特徴としている。
【００５４】
上記の発明によれば、アクティブマトリクス型の表示装置において、正しいアナログ−デジタル変換を行う期間を容易に設定することができるという効果を奏する。
【００５５】
本発明の表示装置の駆動方法は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、共通電極の電圧を、変化するように駆動せず、データ信号線にデータ信号が出力される期間を避けた第１の期間に、上記データ信号線駆動回路に上記光センサの出力のアナログ−デジタル変換を行わせることを特徴としている。
【００５６】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００５７】
以上により、光センサを備えた表示パネルに対して、光センサ出力のアナログ−デジタル変換機能を備えたＣＯＧ技術を提供することのできる表示装置の駆動方法を実現することができるという効果を奏する。
【００５８】
本発明の表示装置の駆動方法は、上記課題を解決するために、上記第１の期間は、走査信号線の一選択期間に対応する各データ信号線へのデータ信号の出力が全て終了した時点から、直後の、走査信号線の一選択期間に対応する各データ信号線へのデータ信号の出力を最初に開始する時点までの期間内にあることを特徴としている。
【００５９】
上記の発明によれば、アクティブマトリクス型の表示装置において、正しいアナログ−デジタル変換を行う期間を容易に設定することができるという効果を奏する。
【００６０】
本発明の表示装置の駆動方法は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、共通電極の電圧を、変化するように駆動し、走査信号線の一選択期間に対応する各データ信号線へのデータ信号の出力を、データ信号線の所定本数ごとに点順次で行わせ、走査信号線の一選択期間に対応する各データ信号線へのデータ信号の最後の出力の途中から、直後の共通電極の電圧変化タイミングまでの期間内にある第１の期間に、上記データ信号線駆動回路に上記光センサの出力のアナログ−デジタル変換を行わせることを特徴としている。
【００６１】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００６２】
以上により、光センサを備えた表示パネルに対して、光センサ出力のアナログ−デジタル変換機能を備えたＣＯＧ技術を提供することのできる表示装置の駆動方法を実現することができるという効果を奏する。
【００６３】
本発明の表示装置の駆動方法は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、共通電極の電圧を、変化するように駆動せず、走査信号線の一選択期間に対応する各データ信号線へのデータ信号の出力を、データ信号線の所定本数ごとに点順次で行わせ、走査信号線の一選択期間に対応する各データ信号線へのデータ信号の最後の出力の途中から、直後の、走査信号線の一選択期間に対応する各データ信号線へのデータ信号の出力を最初に開始する時点までの期間内にある第１の期間に、上記データ信号線駆動回路に上記光センサの出力のアナログ−デジタル変換を行わせることを特徴としている。
【００６４】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００６５】
以上により、光センサを備えた表示パネルに対して、光センサ出力のアナログ−デジタル変換機能を備えたＣＯＧ技術を提供することのできる表示装置の駆動方法を実現することができるという効果を奏する。
【００６６】
本発明の表示装置の駆動方法は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、走査信号線の一選択期間に対応する各データ信号線へのデータ信号の出力を、データ信号線の所定本数ごとに点順次で行わせ、各データ信号線へのデータ信号の１つの出力の途中から終了時点までの期間内にある第１の期間に、上記データ信号線駆動回路に上記光センサの出力のアナログ−デジタル変換を行わせることを特徴としている。
【００６７】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００６８】
以上により、光センサを備えた表示パネルに対して、光センサ出力のアナログ−デジタル変換機能を備えたＣＯＧ技術を提供することのできる表示装置の駆動方法を実現することができるという効果を奏する。
【００６９】
本発明の表示装置の駆動方法は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、走査信号線の一選択期間に対応する各データ信号線へのデータ信号の出力を、データ信号線の所定本数ごとに点順次で行わせ、走査信号線の一選択期間に対応する各データ信号線へのデータ信号の最後以外の１つの出力の途中から、各データ信号線へのデータ信号の直後の出力が開始される時点までの期間内にある第１の期間に、上記データ信号線駆動回路に上記光センサの出力のアナログ−デジタル変換を行わせることを特徴としている。
【００７０】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００７１】
以上により、光センサを備えた表示パネルに対して、光センサ出力のアナログ−デジタル変換機能を備えたＣＯＧ技術を提供することのできる表示装置の駆動方法を実現することができるという効果を奏する。
【００７２】
本発明の表示装置の駆動方法は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、共通電極の電圧を、変化するように駆動し、走査信号線の一選択期間に対応する各データ信号線へのデータ信号の出力を線順次で行わせ、走査信号線の一選択期間に対応する各データ信号線へのデータ信号の出力の途中から、直後の共通電極の電圧変化タイミングまでの期間内にある第１の期間に、上記データ信号線駆動回路に上記光センサの出力のアナログ−デジタル変換を行わせることを特徴としている。
【００７３】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００７４】
以上により、光センサを備えた表示パネルに対して、光センサ出力のアナログ−デジタル変換機能を備えたＣＯＧ技術を提供することのできる表示装置の駆動方法を実現することができるという効果を奏する。
【００７５】
本発明の表示装置の駆動方法は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、走査信号線の一選択期間に対応する各データ信号線へのデータ信号の出力を線順次で行わせ、各データ信号線へのデータ信号の出力の途中から終了時点までの期間内にある第１の期間に、上記データ信号線駆動回路に上記光センサの出力のアナログ−デジタル変換を行わせることを特徴としている。
【００７６】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００７７】
以上により、光センサを備えた表示パネルに対して、光センサ出力のアナログ−デジタル変換機能を備えたＣＯＧ技術を提供することのできる表示装置の駆動方法を実現することができるという効果を奏する。
【００７８】
本発明の表示装置の駆動方法は、上記課題を解決するために、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、共通電極の電圧を、変化するように駆動せず、走査信号線の一選択期間に対応する各データ信号線へのデータ信号の出力を線順次で行わせ、各データ信号線へのデータ信号の出力の途中から、直後の、走査信号線の一選択期間に対応する各データ信号線へのデータ信号の出力を開始する時点までの期間内にある第１の期間に、上記データ信号線駆動回路に上記光センサの出力のアナログ−デジタル変換を行わせることを特徴としている。
【００７９】
上記の発明によれば、データ信号線駆動回路の電源およびＧＮＤの共通インピーダンスに大きな電流が流れるタイミングを避けてアナログ−デジタル変換を行うことができる。従って、光センサのアナログ出力を正しくアナログ−デジタル変換することができる。
【００８０】
以上により、光センサを備えた表示パネルに対して、光センサ出力のアナログ−デジタル変換機能を備えたＣＯＧ技術を提供することのできる表示装置の駆動方法を実現することができるという効果を奏する。
【００８１】
本発明の他の目的、特徴、および優れた点は、以下に示す記載によって十分分かるであろう。また、本発明の利点は、添付図面を参照した次の説明によって明白になるであろう。
【図面の簡単な説明】
【００８２】
【図１】本発明の実施形態を示すものであり、データ信号線駆動回路がＡＤ変換を行う期間を示す第１のタイミングチャートである。
【図２】本発明の実施形態を示すものであり、データ信号線駆動回路がＡＤ変換を行う期間を示す第２のタイミングチャートである。
【図３】本発明の実施形態を示すものであり、データ信号線駆動回路がＡＤ変換を行う期間を示す第３のタイミングチャートである。
【図４】本発明の実施形態を示すものであり、表示装置の構成を示すブロック図である。
【図５】図４の表示装置が備えるデータ信号線駆動回路の構成を示すブロック図である。
【図６】図４の表示装置においてデータ信号線駆動回路と表示領域との接続関係を示す回路図である。
【図７】図５のデータ信号線駆動回路が備えるＡＤ変換回路の構成を示す回路ブロック図である。
【図８】光センサの出力をサンプルする期間におけるＡＤ変換回路周辺の接続関係を示す回路図である。
【図９】光センサの出力をホールドする期間におけるＡＤ変換回路周辺の接続関係を示す回路図である。
【図１０】光センサの出力をＡＤ変換する期間におけるＡＤ変換回路周辺の接続関係を示す回路図である。
【図１１】他のＡＤ変換回路の構成を説明するためのグラフであり、（ａ）は比較器による比較動作を示し、（ｂ）は比較器がデジタル値を確定する動作を示している。
【図１２】データ信号線駆動回路が電源およびＧＮＤの互いに分離された回路を備えていることを説明する回路図である。
【図１３】図１２の電源およびＧＮＤがチップ外で互いにショートすることを説明する回路図である。
【図１４】図１３の回路図をより詳細に示す回路図である。
【図１５】データ信号線駆動回路が正しいＡＤ変換を行うことのできない期間を示すタイミングチャートである。
【図１６】従来技術を示すものであり、光センサを備えた表示領域の構成を示す回路ブロック図である。
【図１７】従来技術を示すものであり、光センサのアナログ出力をＡＤ変換する場合の表示装置の構成を示すブロック図である。
【図１８】図１７の表示装置における表示領域と表示パネル外との接続関係を示す回路図である。
【図１９】図１８の表示領域が備える画素の構成を示す回路図である。
【図２０】本発明の実施形態を示すものであり、データ信号線駆動回路がＡＤ変換を行う期間を示す第４のタイミングチャートである。
【図２１】本発明の実施形態を示すものであり、データ信号線駆動回路がＡＤ変換を行う期間を示す第５のタイミングチャートである。
【図２２】本発明の実施形態を示すものであり、データ信号線駆動回路がＡＤ変換を行う期間を示す第６のタイミングチャートである。
【発明を実施するための形態】
【００８３】
本発明の一実施形態について図１ないし図１５、および、図２０ないし図２２に基づいて説明すると以下の通りである。
【００８４】
図４に、本実施形態に係る液晶表示装置１（表示装置）の構成を示す。
【００８５】
液晶表示装置１はアクティブマトリクス型の表示装置であって、表示パネル２およびホストコントローラ３を備えている。
【００８６】
表示パネル２は、表示／センサ領域２ａと、ソースドライバ４（データ信号線駆動回路）と、ゲートスキャン回路５（走査信号線駆動回路）と、センサスキャン回路６とを備えている。表示／センサ領域２ａは、表示パネル２にアモルファスシリコンやポリシリコン、ＣＧシリコン、微結晶シリコンなどを用いて作り込まれた領域であり、後述の図６に示す画素とセンサ回路とをマトリクス状に備えている。ソースドライバ４はＬＳＩチップを表示パネル２上に直接実装したものであり、いわゆるＣＯＧ(Chip On Glass)の形態を取る。ソースドライバ４は表示／センサ領域２ａに画素用のデータ信号をデータ信号線に出力するとともに、センサ回路からの出力を処理する。ゲートスキャン回路５は、表示／センサ領域２ａの画素にデータ信号を書き込むのに用いる走査信号を走査信号線に出力する。センサスキャン回路６は、表示／センサ領域２ａのセンサ回路に必要な電圧を供給する。
【００８７】
ホストコントローラ３は、表示パネル２の外部に設けられたコントロール基板３であり、ソースドライバ４に供給する表示データと、ゲートスキャン回路５に供給するクロック信号やスタートパルスなどと、センサスキャン回路６に供給するクロック信号やスタートパルス、電源電圧などとを、ソースドライバ４に供給する。ゲートスキャン回路５およびセンサスキャン回路６への上記の供給信号および供給電圧は、ソースドライバ４を介して供給される。
【００８８】
図５に、ソースドライバ４の構成を示す。
【００８９】
ソースドライバ４は、入出力インタフェース回路４１、サンプリングラッチ回路４２、ホールドラッチ回路４３、ＡＤ変換回路４５（アナログ−デジタル変換回路）、ＤＡ変換回路４６、ソース入出力回路４７、タイミング発生回路４８、データ処理回路４９、および、パネル用ロジック回路５０を備えている。
【００９０】
入出力インタフェース回路４１は、ホストコントローラ３から各種信号および電圧を受け取るブロックである。サンプリングラッチ回路４２は、入出力インタフェース回路４１から出力されるデジタル表示データを、タイミング発生回路４８の出力するタイミング信号に従って順次ラッチする。タイミング発生回路４８は、ホストコントローラ３から入出力インタフェース回路４１に入力されたデータ伝送信号から各種タイミングを取得してタイミング信号を生成するブロックである。ホールドラッチ回路４３は、サンプリングラッチ回路４２がラッチした１行分のデジタル表示データを、タイミング発生回路４８の出力するタイミング信号に従ってホールドするブロックである。ＤＡ変換回路４６は、ホールドラッチ回路４３が出力したデジタルデータをＤＡ変換（デジタル−アナログ変換）してアナログのデータ信号とするブロックである。ソース入出力回路４７は、ＤＡ変換回路４６が出力したアナログのデータ信号をバッファリングしてデータ信号線に出力するブロックである。
【００９１】
また、ＡＤ変換回路４５は、表示／センサ領域２ａのセンサ回路から出力されたアナログのセンサ出力を、データ信号線およびソース入出力回路４７を通して受け取ってサンプル・ホールドし、ホールド出力したアナログのセンサ出力をデジタルデータに変換（アナログ−デジタル変換）する。データ処理回路４９は、ＡＤ変換回路４５が出力したデジタルデータを伝送形態に従った形式に変換してホストコントローラ３に送出するブロックである。パネル用ロジック回路５０は、タイミング発生回路４８が生成したタイミング信号から、ゲートスキャン回路５およびセンサスキャン回路６に供給するタイミング信号をさらにロジック生成するブロックである。
【００９２】
図６に、表示／センサ領域２ａとソースドライバ４との接続関係を示す。
【００９３】
表示／センサ領域２ａでは、Ｒの絵素ＰＩＸＲと、Ｇの絵素ＰＩＸＧと、Ｂの絵素ＰＩＸＢとが１組となって各画素が構成されており、各画素にセンサ回路ＳＣが１つずつ備えられている。各画素において、絵素ＰＩＸＲと絵素ＰＩＸＧと絵素ＰＩＸＢとは、１水平期間内に時分割で駆動される。各絵素は、走査信号線ＧＬとデータ信号線ＳＬ（ＲについてはＳＬＲ、ＧについてはＳＬＧ、ＢについてはＳＬＢ）との交差点に形成されており、選択素子であるＴＦＴ５１によって液晶容量ＣＬにデータ信号を書き込む構成である。データ信号線ＳＬＲはスイッチＳＷＲを介して、データ信号線ＳＬＧはスイッチＳＷＧを介して、データ信号線ＳＬＢはスイッチＳＷＢを介して、それぞれ、ソースドライバ４の同じ端子Ｐに接続されている。なお、絵素の色の種類としては上記のＲＧＢのような３色に限らず、任意の色の種類が可能である。
【００９４】
センサ回路ＳＣは、スイッチＳＷＲ・ＳＷＧ・ＳＷＢに対して上記端子Ｐとは反対側の領域で上記絵素に接続されるように配置されており、ＴＦＴ５２と容量５３とフォトダイオード５４（光センサ）とを備えている。ＴＦＴ５２の一方のソース・ドレイン端子はデータ信号線ＳＬＧに接続されており、ＴＦＴ５２の他方のソース・ドレイン端子はデータ信号線ＳＬＢに接続されている。容量５３とフォトダイオード５４とは直列に接続されており、その接続点はＴＦＴ５２のゲートに接続されている。上記直列回路の両端は、それぞれセンサスキャン回路６に接続されている。また、データ信号線ＳＬＧの端子Ｐ側とは反対側の一端は、スイッチＳＷＳを介して電源Ｖ０に接続されている。
【００９５】
ソースドライバ４では、ソース入出力回路４７の出力がそれぞれ端子Ｐに接続されている。ソース入出力回路４７は、オペアンプのボルテージフォロワからなるバッファ４７ａとスイッチ部４７ｂとが１つずつ組になった各段を備えており、各段が１つの上記端子Ｐに接続されている。バッファ４７ａの入力はＤＡ変換回路４６の出力に接続されており、バッファ４７ａの出力は端子Ｐに接続されている。スイッチ部４７ｂは、ＡＤ変換回路４５の入力を端子Ｐに接続するか端子Ｐから遮断するかの切り替えを行う回路である。ＤＡ変換回路４６はＤＡ変換回路４６に専用の電源およびＧＮＤを使用しており、ＡＤ変換回路４５はＡＤ変換回路４５に専用の電源およびＧＮＤを使用している。
【００９６】
表示／センサ領域２ａにおいて表示を行う期間には、バッファ４７ａの電源が投入され、スイッチ部４７ｂはＡＤ変換回路４５の入力を端子Ｐから遮断する。これにより、ＲＧＢの各ソース出力（データ信号）Ｖｄが時系列で表示／センサ領域２ａに供給される。表示／センサ領域２ａ側では、スイッチＳＷＲ・ＳＷＧ・ＳＷＢが順次交替してＯＮ状態となり、データ信号線ＳＬＲ・ＳＬＧ・ＳＬＢに順次ソース出力Ｖｄが出力されて絵素ＰＩＸＲ・ＰＩＸＧ・ＰＩＸＢで表示が行われる。また、このとき、スイッチＳＷＳはＯＦＦ状態にある。
【００９７】
表示／センサ領域２ａにおいて光強度の検出を行う期間には、スイッチＳＷＲ・ＳＷＧ・ＳＷＢがＯＦＦ状態にされ、スイッチＳＷＳがＯＮ状態にされてデータ信号線ＳＬＧを電源Ｖ０に接続する。また、事前にセンサスキャン回路６からフォトダイオード５４の順方向を用いて容量５３を所定電圧に充電しておくことにより、光強度の検出期間に、ＴＦＴ５２のゲートをフォトダイオード５４に照射される光の強度に応じた電圧とする。これにより、データ信号線ＳＬＢが検出された光の強度に応じた電圧となるので、スイッチＳＷＢをＯＮ状態としてデータ信号線ＳＬＢをソースドライバ４の端子Ｐに接続する。
【００９８】
このとき、ソースドライバ４側ではバッファ４７ａの電源が遮断されてバッファ４７ａの出力がハイインピーダンスにされるとともに、スイッチ部４７ｂがＡＤ変換回路４５の入力を端子Ｐに接続する。これにより、センサ回路ＳＣのアナログ出力であるセンサ電圧ＶｓがＡＤ変換回路４５に入力される。ＡＤ変換回路４５は入力されたセンサ電圧Ｖｓをデジタルデータに変換する。
【００９９】
図７に、ＡＤ変換回路４５の構成を示す。
【０１００】
ＡＤ変換回路４５は、比較器４５ａ、ＤＡ変換器４５ｂ、基準電圧発生器４５ｃ、レジスタ４５ｄ、および、シーケンス制御回路４５ｅを備えている。比較器４５ａの入力電圧Ｖｉｎとして、センサ電圧Ｖｓが入力される。比較器４５ａの比較電圧ＶＦとして、レジスタ４５ｄのレジスタ値を、ＤＡ変換器４５ｂが基準電圧発生器４５ｃが発生する基準電圧ＶＲＥＦを用いてＤＡ変換した結果が入力される。レジスタ４５ｄは、比較器４５ａの出力に従ってレジスタ値を変更する。シーケンス制御回路４５ａは、レジスタ４５ｄのレジスタ値を、クロック入力信号ＣＫのタイミングによってシリアルデータに変換して出力する。
【０１０１】
レジスタ４５ｄに初期値として例えば最上位ビットに１を設定し、他のビットに０を設定する。比較器４５ａはクロック入力信号ＣＫのタイミングごとに、入力電圧Ｖｉｎを比較電圧ＶＦと比較する。比較器４５ａは、Ｖｉｎ＞ＶＦならばＬｏｗを出力し、Ｖｉｎ＜ＶＦならばＨｉｇｈを出力する。レジスタ４５ｄは、比較器４５ａからＬｏｗが入力されるとレジスタ値をそのまま保持し、比較器４５ａからＨｉｇｈが入力されるとレジスタ値の最上位ビットを０に変更する。また、レジスタ値の次に上位となるビットを１に変更する。この結果のレジスタ値がＤＡ変換器４５ｂによってＤＡ変換されて新たな比較電圧ＶＦが比較器４５ａに入力されると同様にビットを確定し、これを繰り返して順次下位のほうへビットを確定していく。
【０１０２】
こうしてレジスタ４５ｄからは全ビットのパラレルデータによるデジタル出力が可能であるとともに、シーケンス制御回路４５ｅからシリアルデータによるデジタル出力が可能である。シーケンス制御回路４５ｅの出力はレジスタ４５ｄの入力にフィードバックされて、シーケンス制御回路４５ｅの出力を安定化させる。
【０１０３】
ところで、図１２に示すように、一般にＬＳＩ内には様々な回路の電源およびＧＮＤが存在している。このような電源およびＧＮＤはそれぞれ、ＬＳＩ内の回路間では互いに分離されていたとしても、図１３に示すように、当該ＬＳＩのチップが実装される基板上では互いにショートされる。このときのショートは、より詳細には、図１４に示すように配線抵抗を介したものであるため、各回路に流れる電流に応じて、各回路の電源どうしおよびＧＮＤどうしの間で共通インピーダンスを介して相互に影響を与えることになる。
【０１０４】
表示装置の場合には、例えばソースドライバがＦＰＣ（フレキシブルプリント基板）やＰＷＢ（プリント配線基板）上に実装される場合に、ソースドライバ内の回路間で互いに分離していた電源およびＧＮＤが、ＦＰＣ上やＰＷＢ上で同じ配線で相互接続される。このとき、ソースドライバ内のある回路に電流が流れることにより、この回路が用いる電源およびＧＮＤに電流が流れると、ＦＰＣ上やＰＷＢ上の電源およびＧＮＤにも相当する電流が流れて、ＦＰＣ上やＰＷＢ上の電源およびＧＮＤに配線抵抗による電圧降下が発生する。すると、ＦＰＣ上やＰＷＢ上で電圧降下が発生した電源およびＧＮＤを用いてソースドライバの他の回路が動作を行わなければならないので、当該他の回路は前記回路の影響を受けてしまう。
【０１０５】
従って、液晶表示装置１のように、ＣＯＧで実装されているソースドライバ４にとっては、チップ外の電源およびＧＮＤは表示パネル２上の配線となるため、配線抵抗は極めて大きく、共通インピーダンスによる電圧降下がソースドライバ４に深刻な影響を与える。具体的には、図１５に示すように、ＲＧＢのデータ信号線を順次ソースドライバに接続するスイッチＳＳＷ１・ＳＳＷ２・ＳＳＷ３（図６ではスイッチＳＷＲ・ＳＷＧ・ＳＷＢに相当する）の制御パルスの立ち上がりタイミング、および、共通電極ＣＯＭが駆動される場合の電圧変化タイミングでは、それぞれが用いる電源およびＧＮＤに大きな電流Ｉｖｄｄが流れる。
【０１０６】
なお、図１５のようにＲＧＢの３本や全データ信号線といったように所定本数のデータ信号線ごとに点順次駆動を行う表示装置では、ソースドライバ４の出力をデータ信号線に接続するスイッチ（ＳＳＷ１・ＳＳＷ２・ＳＳＷ３）の制御パルスの立ち上がりタイミングで、データ信号線を前極性と逆極性に充電することによる突入電流が流れる。また、線順次駆動でデータ信号線へのソース出力を行う表示装置では、ソースドライバ４から極性を反転させるソース出力を開始するたびに、データ信号線を前極性と逆極性に充電することによる突入電流が流れる。共通電極ＣＯＭが駆動される場合の電圧変化タイミングでは、共通電極ＣＯＭを前極性と逆極性に充電することによる突入電流が流れる。上記の突入電流は電源およびＧＮＤに流れる電流Ｉｖｄｄに及ぶ。
【０１０７】
従って、ＡＤ変換回路が用いる電源電圧ＡＤ−ＶＤＤや、電源電圧を用いて発生させる基準電圧ＶＲＥＦ、ＧＮＤなどの電圧が、当該電流Ｉｖｄｄが流れるタイミングで変動してしまう。従って、この電圧が変動するタイミングでＡＤ変換を行うと、このノイズが重畳した電圧を用いて動作することにより正しいＡＤ変換結果が得られなくなる虞がある。
【０１０８】
そこで、本実施形態では、ＡＤ変換回路４５によるＡＤ変換を、上述の大きな電流Ｉｖｄｄが発生しない第１の期間に行う。なお、本実施形態においては、ソースドライバ４においてソース出力とセンサ出力の取り込みとのそれぞれを、両者に共通の端子を時分割で用いることにより行うので、ＡＤ変換のためのサンプリングはセンサ出力の取り込み期間に行うことになるが、サンプリングとＡＤ変換とは連続して行われなくてもよく、分離されていてよい。従って、一旦サンプリングすれば、ＡＤ変換はセンサ出力の取り込み期間外に行ってもよい。
【０１０９】
具体的には、図１に示すように、ＲＧＢの３本という所定本数のデータ信号線ごとに点順次駆動を行う表示装置では、ＲＧＢのデータ信号線を順次ソースドライバに接続するスイッチＳＳＷ１・ＳＳＷ２・ＳＳＷ３（図６ではスイッチＳＷＲ・ＳＷＧ・ＳＷＢに相当する）の制御パルスの立ち上がりタイミング、および、共通電極ＣＯＭが駆動される場合すなわち共通電極ＣＯＭの電圧が変化するように駆動される場合の電圧変化タイミングを避けてＡＤ変換を行うようにする。なお、これらのタイミングは全て、その信号を出力する回路から出力された時点での波形におけるタイミングで規定する。このタイミングの規定は、以降の実施例についても同様である。さらに具体的には、図１では、走査信号線の一選択期間に対応する各データ信号線へのＲＧＢのソース出力が全て終了した時点から、直後の共通電極ＣＯＭの電圧変化タイミングが起こるまでの期間ｔ１内にある第１の期間にＡＤ変換を行っている。期間ｔ１は第１の期間の最大範囲である。なお、この場合の第１の期間の開始タイミングは、データ信号をデータ信号線に出力する全色を通じて最後のスイッチ（図１ではＳＳＷ３）のＯＮ状態からＯＦＦ状態への切り替わりタイミング以降であればよい。
【０１１０】
このように、図１では、ＡＤ変換をデータ信号線にデータ信号を出力する期間を避けて行うことにより、スイッチＳＳＷ１・ＳＳＷ２・ＳＳＷ３の制御パルスの立ち上がりタイミングを避けるようにしている。
【０１１１】
共通電極ＣＯＭが駆動されない、すなわち共通電極ＣＯＭの電圧が変化するように駆動されない場合には、共通電極ＣＯＭの電圧は考慮しなくてよい。この場合の第１の期間は、例えば走査信号線の一選択期間に対応する各データ信号線へのＲＧＢのソース出力が全て終了した時点から、直後の、走査信号線の一選択期間に対応する各データ信号線へのＲＧＢのソース出力を最初に開始する時点までの期間ｔ１’内に設定すればよい。走査信号線の一選択期間に対応するＲＧＢのソース出力を最初に開始する時点は、一般に、当該一選択期間に対応する共通電極ＣＯＭの電圧変化タイミング以降となる。
【０１１２】
以上の期間にＡＤ変換を行うことにより、図１に示すノイズが発生するタイミングを避けてＡＤ変換を行うことができるので、センサ出力の正しいＡＤ変換結果を得ることができる。
【０１１３】
図１のＡＤ変換は、全データ信号線を前記所定本数のデータ信号線として点順次駆動する表示装置にもそのまま適用可能である。
【０１１４】
また、上記のＡＤ変換の仕方とは別に、図２に示すＡＤ変換方法もある。
【０１１５】
図２のＡＤ変換は、ＡＤ変換を行うことの可能な期間ｔ１・ｔ１’としては図１のものと同様であるが、異なる２つの画素のセンサ出力を、同じＡＤ変換入力部に時系列で切り替えて順次入力することにより、当該期間に２種類のＡＤ変換を行うものである。このような構成は、例えば図６において、スイッチ部４７ｂを双投スイッチの構成として、隣接する画素のＡＤ変換入力経路をも同じスイッチ部４７ｂによって選択接続可能とした構成として実現することができる。この場合には、当該隣接する端子Ｐに接続されるスイッチ部４７ｂは省略される。
【０１１６】
また、上記のＡＤ変換の仕方とは別に、図３に示すＡＤ変換方法もある。
【０１１７】
図３のＡＤ変換は、１水平期間にＲＧＢのデータ信号を時分割で出力しないで、１水平期間内に各データ信号線に同じデータ信号を出力する線順次駆動を行う表示装置におけるものである。この場合に、ＡＤ変換を行う期間としては、データ信号線にデータ信号を出力する期間、および、共通電極ＣＯＭが駆動される場合の電圧変化タイミングを避けた期間とする。
【０１１８】
図３では、走査信号線の一選択期間に対応する各データ信号線へのソース出力が終了した時点から、共通電極ＣＯＭの電圧変化タイミングが起こるまでの期間ｔ２内にある第１の期間にＡＤ変換を行っている。期間ｔ２は第１の期間の最大範囲である。
【０１１９】
共通電極ＣＯＭが駆動されない、すなわち共通電極ＣＯＭの電圧が変化するように駆動されない場合には、共通電極ＣＯＭの電圧は考慮しなくてよい。この場合の第１の期間は、例えば走査信号線の一選択期間に対応する各データ信号線へのＲＧＢのソース出力が全て終了した時点から、直後の、走査信号線の一選択期間に対応する各データ信号線へのＲＧＢのソース出力を開始する時点までの期間ｔ２’内に設定すればよい。図３ではこの期間ｔ２’が期間ｔ２に一致している例が示されているが、走査信号線の一選択期間に対応するＲＧＢのソース出力を開始する時点は、一般に、当該一選択期間に対応する共通電極ＣＯＭの電圧変化タイミング以降となる。
【０１２０】
図２０ないし図２２に、さらに別のＡＤ変換方法を示す。
【０１２１】
図２０のＡＤ変換は、所定本数のデータ信号線ごとに点順次駆動を行う表示装置において、走査信号線の一選択期間に対応する各データ信号線への最後のソース出力Ｖｄの途中から、直後の共通電極ＣＯＭの電圧変化タイミングまでの期間内にある第１の期間に行う方法である。図２０の例では、データ信号線へのＢのソース出力Ｖｄの出力期間の途中から、直後の共通電極ＣＯＭの電圧変化タイミングまでの期間ｔ３内にある第１の期間にＡＤ変換を行っている。期間ｔ３は第１の期間の最大範囲である。この場合に、第１の期間をソース出力期間内に設定するならば、センサ出力Ｖｓのサンプリングを予めソース出力期間外に行っておく。また、共通電極ＣＯＭを駆動しない場合には、走査信号線の一選択期間に対応する各データ信号線への最後のソース出力Ｖｄの途中から、図１と同様に、直後の、走査信号線の一選択期間に対応する各データ信号線へのＲＧＢのソース出力を最初に開始する時点までの期間内に設定すればよい。
【０１２２】
図２１のＡＤ変換は、所定本数のデータ信号線ごとに点順次駆動を行う表示装置において、走査信号線の一選択期間に対応する各データ信号線への１つのソース出力Ｖｄの途中から終了時点までの期間内にある第１の期間に行う方法である。図２１の例では、データ信号線へのＧのソース出力Ｖｄの出力期間の途中から当該Ｇのソース出力Ｖｄの終了時点までの期間ｔ４内にある第１の期間にＡＤ変換を行っている。期間ｔ４は第１の期間の最大範囲である。この場合には、センサ出力Ｖｓのサンプリングを予めソース出力期間外に行っておく。また、データ信号線へのＲやＢのデータ信号の出力期間に期間ｔ４と同様の期間を設定してもよい。
【０１２３】
図２２のＡＤ変換は、所定本数のデータ信号線ごとに点順次駆動を行う表示装置において、走査信号線の一選択期間に対応する各データ信号線への最後以外の１つのソース出力Ｖｄの途中から、直後の、走査信号線の一選択期間に対応する各データ信号線へのソース出力Ｖｄを開始する時点までの期間内にある第１の期間に行う方法である。図２２の例では、データ信号線へのＧのソース出力Ｖｄの出力期間の途中から、データ信号線へのＢのソース出力Ｖｄを開始する時点までの期間ｔ５内にある第１の期間に、ＡＤ変換を行っている。期間ｔ５は第１の期間の最大範囲である。この場合に、第１の期間をソース出力期間内に設定するならば、センサ出力Ｖｓのサンプリングを予めソース出力期間外に行っておく。また、ソースドライバ４からのＧのソース出力Ｖｄの終了時点と、ソースドライバ４からのＢのソース出力Ｖｄの開始時点との間に、Ｎで示す期間のように、ソース出力ＶｄがなくＧのソース出力Ｖｄを出力し終えたデータ信号線の電位が不定となる期間があってもよい。また、データ信号線へのＲのソース出力Ｖｄの出力期間の途中から、データ信号線へのＧのソース出力Ｖｄの開始時点までの期間を、期間ｔ５と同様の期間に設定してもよい。
【０１２４】
図２０〜図２２の構成によれば、データ信号線へのソース出力Ｖｄの出力期間の途中からは、電源およびＧＮＤに大きな電流Ｉｖｄｄが流れることはないので、ノイズが発生するタイミングを避けてＡＤ変換を行うことができ、センサ出力の正しいＡＤ変換結果を得ることができる。
【０１２５】
また、図２０および図２１では、第１の期間を含むデータ信号線へのソース出力Ｖｄの出力期間を、その他のデータ信号線へのソース出力Ｖｄの各出力期間よりも長く設定して、ＡＤ変換を電流および電圧がより安定した期間に行うことができるようにしている。
【０１２６】
また、図２０および図２１のＡＤ変換方法を、線順次駆動でソース出力Ｖｄを行う表示装置に適用することも可能である。
【０１２７】
この場合に、図２０に対応させた方法としては、共通電極ＣＯＭを駆動する場合には、走査信号線の一選択期間に対応する各データ信号線へのソース出力Ｖｄの途中から、直後の共通電極ＣＯＭの電圧変化タイミングまでの期間内にある第１の期間にＡＤ変換を行い、共通電極ＣＯＭを駆動しない場合には、走査信号線の一選択期間に対応する各データ信号線へのソース出力Ｖｄの途中から、直後の、走査信号線の一選択期間に対応する各データ信号線へのＲＧＢのソース出力を開始する時点までの期間内にある第１の期間にＡＤ変換を行う。
【０１２８】
またこの場合に、図２１に対応させた方法としては、走査信号線の一選択期間に対応する各データ信号線へのソース出力Ｖｄの途中から終了時点までの期間内にある第１の期間にＡＤ変換を行う。
【０１２９】
なお、図１および図２のような、所定本数のデータ信号線ごとに点順次駆動を行う表示装置では、走査信号線の一選択期間に対応するソースドライバ４からのソース出力が全て終了した時点（図１では、スイッチＳＳＷ３の制御パルスの立ち下がりタイミングよりも後となる、Ｂのソース出力が終了した時点）よりも後にセンサ出力のＡＤ変換を開始するように、第１の期間を設定してもよい。このようにすると、もし、時分割で順次導通する複数のスイッチ（ＳＳＷ１・ＳＳＷ２・ＳＳＷ３）の制御パルスがパネル内の伝搬遅延によって波形がなまる結果、立ち下がりタイミングが遅れる箇所が発生したとしても、当該制御パルスはソース出力の終了時点では確実に立ち下がりが完了しているので、ＡＤ変換がソース出力Ｖｄのデータ信号線への出力と干渉することを確実に避けることができる。
【０１３０】
また、データ信号線を時分割で駆動するときの分割数としては、図１、図２、図２０、図２１、および図２２に示す３分割に限らず、任意の分割数でよい。図３のように時分割しない駆動を行うことができることは説明した通りであるが、これは特にアモルファスシリコンＴＦＴを用いたゲートモノリシックのパネルにおいて、ソースドライバを各色ごとに分けないで各行画素を同じ色で構成し、全色分の行をゲートドライバで一度に走査する構成に適している。
【０１３１】
次に、図８〜図１０を用いて、センサ出力のサンプリングからＡＤ変換出力を行うまでのＡＤ変換回路４５の周辺の回路接続について説明する。
【０１３２】
図８にセンサ出力のサンプリング期間における回路接続を示す。
【０１３３】
スイッチＳＷ１は、図６のスイッチ部４７ｂに相当する。ＡＤ変換回路４５の内部では、スイッチＳＷ１の一端に接続されたＡＤ変換回路４５の入力端子と、比較器４５ａの入力との間に、スイッチＳＷ２とホールドコンデンサＣ１とが直列に接続されている。上記入力端子とスイッチＳＷ２との間に、ＧＮＤに向けて定電流を流す定電流源４５ｘが設けられている。スイッチＳＷ２とホールドコンデンサＣ１との間の接続点Ｍは、スイッチＳＷ３を介してＤＡ変換器４５ｂの出力に接続されている。コントロールロジック４５ｆは、図７のレジスタ４５ｄおよびシーケンス制御回路４５ｅをまとめて示すものである。ホールドコンデンサＣ１と比較器４５ａの入力との間の接続点Ｎは、スイッチＳＷ４を介して基準電圧ＶＲＥＦに接続されている。
【０１３４】
センサ出力のサンプリング期間には、バッファ４７ａの動作を停止させて、スイッチＳＷ１をＯＮ状態にする。そして、スイッチＳＷ２・ＳＷ４をＯＮ状態、スイッチＳＷ３をＯＦＦ状態にして、ホールドコンデンサＣ１にセンサ出力に対応した電荷を蓄積することによりセンサ出力をサンプルする。
【０１３５】
次に、図９に示すようにホールド期間に入り、ホールドスイッチＳＷ１〜ＳＷ４をＯＦＦ状態にしてセンサ出力をホールドコンデンサＣ１でホールドする。この場合には、スイッチＳＷ１がＯＦＦ状態であることから、バッファ４７ａを動作させることが可能であるので、センサ出力をホールドした後は、ＡＤ変換が可能な任意の時期まで、ＡＤ変換を行うことを待機することができる。
【０１３６】
次に、図１０に示すようにＡＤ変換期間に入り、スイッチＳＷ１・ＳＷ２・ＳＷ４をＯＦＦ状態にしたまま、スイッチＳＷ３をＯＮ状態にする。ここで図７で説明した動作を行うが、スイッチＳＷ３を一旦ＯＦＦ状態にして各ビットを確定してからスイッチＳＷ３を再びＯＮ状態とする。デジタルデータを出力し終えるとＡＤ変換は終了し、図８の接続関係に戻って次のセンサ出力のサンプリングを行う。
【０１３７】
なお、以上ではＡＤ変換回路４５にＤＡ変換器４５ｂを用いる例を挙げたが、ＤＡ変換器４５ｂを用いるＡＤ変換回路の代わりに、図１１に示す原理でＡＤ変換を行うＡＤ変換回路を備えることもできる。図１１の（ａ）に示すように、比較器によってセンサ電圧を時間的に変化する電圧Ｅと比較し、図１１の（ｂ）に示すように、比較器が出力をＬｏｗからＨｉｇｈに変えるまでの時間の長さによって、デジタル値を確定していく。
【０１３８】
以上、本実施形態について述べた。本発明はＥＬ表示装置、誘電性液体を用いた表示装置など、他の任意の表示装置にも適用可能であることは明らかである。また、光センサは、検出した光の強度に応じた電流など、他の信号を出力してもよい。
【０１３９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４０】
本発明の表示装置は、以上のように、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、共通電極の電圧が変化するように駆動され、上記アナログ−デジタル変換回路は、上記光センサの出力のアナログ−デジタル変換を、各データ信号線にデータ信号が出力される期間と、上記共通電極の駆動による電圧変化タイミングとを避けた第１の期間に行う。
【０１４１】
本発明の表示装置は、以上のように、データ信号線駆動回路がＣＯＧ(Chip On Glass)方式により備えられ、表示領域に検出した光強度に応じた信号を出力する光センサが備えられた、アクティブマトリクス型の表示装置であって、上記データ信号線駆動回路は、上記光センサの出力をアナログ−デジタル変換するアナログ−デジタル変換回路を備えており、共通電極の電圧は変化するように駆動されず、上記アナログ−デジタル変換回路は、上記光センサの出力のアナログ−デジタル変換を、データ信号線にデータ信号が出力される期間を避けた第１の期間に行う。
【０１４２】
以上により、光センサを備えた表示パネルに対して、光センサ出力のアナログ−デジタル変換機能を備えたＣＯＧ技術を提供することのできる表示装置を実現することができるという効果を奏する。
【０１４３】
本発明の表示装置の駆動方法は、以上のように、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、共通電極の電圧を、変化するように駆動し、データ信号線にデータ信号が出力される期間と、上記共通電極の駆動による電圧変化タイミングとを避けた第１の期間に、上記データ信号線駆動回路に上記光センサの出力のアナログ−デジタル変換を行わせる。
【０１４４】
本発明の表示装置の駆動方法は、以上のように、データ信号線駆動回路がＣＯＧ(Chip On Glass)方式により備えられ、表示領域に検出した光強度に応じた信号を出力する光センサが備えられた、アクティブマトリクス型の表示装置を駆動する、表示装置の駆動方法であって、共通電極の電圧を、変化するように駆動せず、データ信号線にデータ信号が出力される期間を避けた第１の期間に、上記データ信号線駆動回路に上記光センサの出力のアナログ−デジタル変換を行わせる。
【０１４５】
以上により、光センサを備えた表示パネルに対して、光センサ出力のアナログ−デジタル変換機能を備えたＣＯＧ技術を提供することのできる表示装置の駆動方法を実現することができるという効果を奏する。
【０１４６】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内において、いろいろと変更して実施することができるものである。
【産業上の利用可能性】
【０１４７】
本発明は、液晶表示装置やＥＬ表示装置などの表示装置に特に好適に使用することができる。
【符号の説明】
【０１４８】
１              液晶表示装置（表示装置）
４              ソースドライバ（データ信号線駆動回路）
４５            ＡＤ変換回路（アナログ−デジタル変換回路）
５４            フォトダイオード（光センサ）
ＳＬＲ、ＳＬＧ、ＳＬＢ
データ信号線
ＧＬ            走査信号線
【図１】
2009125614.tif 000003
【図２】
2009125614.tif 000004
【図３】
2009125614.tif 000005
【図４】
2009125614.tif 000006
【図５】
2009125614.tif 000007
【図６】
2009125614.tif 000008
【図７】
2009125614.tif 000009
【図８】
2009125614.tif 000010
【図９】
2009125614.tif 000011
【図１０】
2009125614.tif 000012
【図１１】
2009125614.tif 000013
【図１２】
2009125614.tif 000014
【図１３】
2009125614.tif 000015
【図１４】
2009125614.tif 000016
【図１５】
2009125614.tif 000017
【図１６】
2009125614.tif 000018
【図１７】
2009125614.tif 000019
【図１８】
2009125614.tif 000020
【図１９】
2009125614.tif 000021
【図２０】
2009125614.tif 000022
【図２１】
2009125614.tif 000023
【図２２】
2009125614.tif 000024
【国際調査報告】
2009125614.tif 000025
2009125614.tif 000026
2009125614.tif 000027